(57)【要約】【課題】第２塵埃分離手段の目詰まりの防止を図ることができるとともに、吸引した塵埃によって電動送風機が悪影響を受けることのない電気掃除機を提供する。【解決手段】電動送風機３３の負圧により吸引した塵埃を分離する塵埃分離部６０と、この塵埃分離部６０で分離された塵埃を集塵する集塵室部５５と、塵埃分離部６０を通過した塵埃を濾過により捕捉して塵埃を分離するフィルタ体８０と、このフィルタ体８０に捕捉された塵埃を取り除く振動付与手段１４９とを備え、塵埃分離部６０は、吸引した塵埃の慣性力を利用して分離する慣性分離方式で構成し、電動送風機３３の電動モータをブラシレスモータにした。【選択図】  図３
2004358135.tif 000002
【特許請求の範囲】
【請求項１】
電動送風機の負圧により吸引した空気と塵埃とを分離する第１塵埃分離手段と、この第１塵埃分離手段で分離された塵埃を集塵する集塵部と、前記第１塵埃分離手段の下流側に設けられ濾過により塵埃を捕捉して空気と塵埃を分離する第２塵埃分離手段と、この第２塵埃分離手段に捕捉された塵埃を取り除く除塵手段とを備えた電気掃除機であって、
前記第１分離手段を吸引した塵埃の慣性力を利用して空気と塵埃を分離する構成とし、
前記電動送風機の電動モータをブラシレスモータにしたことを特徴とする電気掃除機。
【請求項２】
前記電動送風機の負圧が作用する負圧室部内に前記第１塵埃分離手段を設け、
この第１塵埃分離部は、一端開口が塵埃を吸込む吸気口に対向するとともに他端開口が前記集塵部に連通した筒状の通路と、この通路の周面に形成されたフィルタとを備え、前記通路内の空気を前記フィルタを介して前記電動送風機に吸込むことによって通路内の空気と塵埃とを分離し、
前記集塵部は、前記負圧室部と区画されて形成され、
前記ブラシレスモータはバッテリーで駆動されることを特徴とする請求項１に記載の電気掃除機。
【請求項３】
前記除塵手段によって第２塵埃分離手段から取り除かれた塵埃を集塵する副集塵部を設けたことを特徴とする請求項１または請求項２に記載の電気掃除機。
【発明の詳細な説明】
【０００１】
【発明の属する技術分野】
この発明は、吸引した塵埃をこの塵埃の慣性力により分離する埃分離手段を備えた電気掃除機に関する。
【０００２】
【従来の技術】
従来から、集塵室と電動送風機との間にフィルタを配置した電気掃除機が知られている（例えば特許文献１参照）。
【０００３】
かかる電気掃除機は、前記フィルタをメッシュ製の第１フィルタとスポンジ製の第２フィルタで構成するとともにこの順序で集塵室側から配置し、第２フィルタに付着した塵埃を掻き落とす除塵手段を設けている。この除塵手段は、コードリールの回転に連動して第２フィルタに振動を与え、この振動により第２フィルタに付着した塵埃を落として第２フィルタの目詰まりの防止を図るものである。
【０００４】
【特許文献１】
実開昭５５−７８０５０号公報
【０００５】
【発明が解決しようとする課題】
しかしながら、このような電気掃除機にあっては、第２フィルタに振動を与えて塵埃を掻き落としているものであるから、第２フィルタに付着した塵埃の一部がその振動によって第２フィルタ（第２塵埃分離手段）の目をくぐって電動送風機側へ進んでしまい、最終的に電動送風機に吸引されてしまう。一方、電動送風機は整流子モータが使用されるため、吸引された塵埃が整流子モータのカーボンブラシと整流子との間に付着してしまうと、スパークや整流の安定性の低下やカーボンブラシの異常磨耗などが発生してしまう。すなわち、吸引した塵埃によって電動送風機が悪影響を受けてしまうという問題があった。
【０００６】
この発明の目的は、第２塵埃分離手段の目詰まりの防止を図ることができるとともに、吸引した塵埃によって電動送風機が悪影響を受けることのない電気掃除機を提供することにある。
【０００７】
【課題を解決するための手段】
上記目的を達成するため、請求項１の発明は、電動送風機の負圧により吸引した空気と塵埃とを分離する第１塵埃分離手段と、この第１塵埃分離手段で分離された塵埃を集塵する第１集塵部と、前記第１塵埃分離手段の下流側に設けられ濾過により塵埃を捕捉して空気と塵埃を分離する第２塵埃分離手段と、この第２塵埃分離手段に捕捉された塵埃を取り除く除塵手段とを備えた電気掃除機であって、
前記第１分離手段を吸引した塵埃の慣性力を利用して空気と塵埃を分離する構成とし、
前記電動送風機の電動モータをブラシレスモータにしたことを特徴とする。
【０００８】
【発明の実施の形態】
以下、この発明に係る電気掃除機の実施の形態を図面に基づいて説明する。
［第１実施形態］
図１において、２０は掃除機本体であり、この掃除機本体２０にはホース２１の一端が着脱自在に接続され、その他端には手元操作管２２が設けられている。手元操作管２２には延長管２３が着脱自在に接続され、延長管２３の先端部には吸込口体２４が着脱自在に接続されている。手元操作管２２には操作部２２Ａが設けられており、この操作部２２Ａには図示しない操作スイッチが設けられている。
【０００９】
掃除機本体２０は、図２ないし図４に示すように、本体ケース３０と、本体ケース３０に着脱自在に載置される集塵容器（ダストカップ）５０と、後部が本体ケース３０にヒンジ結合されて上下方向に開閉可能となっている蓋体４０とを備えている。本体ケース３０の上面には所定量上に引き出せるハンドル１３３が設けられている。
【００１０】
また、本体ケース３０には、電動送風機３３を収納した電動室３４と、この電動室３４の下に形成されたコードリール室３９とが形成されており、コードリール室３９にはコードリール１２５が設けられている。電動室３４とコードリール室３９とは図示しない仕切壁によって仕切られている。コードリール室３９の前面には前方へ突出した皿状の載置部３５が設けられている。この載置部３５には集塵容器５０が着脱自在に載置され、蓋体４０を閉じた際にこの蓋体４０と載置部３５とで集塵容器５０を挟持して固定するようになっている。
【００１１】
また、電動室３４の前面は開口され、この開口（図示せず）には格子を形成した格子板１１６（図１２参照）を有する隔壁板１１３が設けられている。その開口は電動送風機３３の吸気開口３３Ａに対向している。
【００１２】
本体ケース３０の両側面には、前側の上部から後部側の下部に亘って膨出部３６が形成され、この膨出部３６の下部は後輪３７を回転自在に保持している。また膨出部３６と本体ケース３０の両側面の前側には複数の排気孔３８が形成されている。この排気孔３８は図示しない排気風路を介して電動送風機３３の排気口３３Ｂと連通しており、電動送風機３３の排気口３３Ｂから排気される空気は排気風路を介して排気孔３８から外へ排気されるようになっている。
【００１３】
電動送風機３３は、図示しないブラシレスモータと、このブラシレスモータによって回転される図示しない遠心ファンなどとから構成されている。
【００１４】
蓋体４０は、平面視がほぼ楕円形に形成された天板４１を有し、この天板４１の周囲に周壁４２が一体に形成されている。周壁４２の前部には集塵ホース２１を着脱自在に接続する接続口（吸込口）４３を有する接続パイプ４４が設けられている。この接続パイプ４４は前後方向に延びており、その後端は開口４５を有している。
【００１５】
集塵容器５０は、図６ないし図９に示すように、後面（図５において右側）に開口５１を有し前面に後述する管部６２への入口となる吸気口５２を有する容器ケース体（集塵ケース部）５３と、この容器ケース体５３の吸気口５２の下に一体形成された把手部５４とを有している。
【００１６】
容器ケース体５３は、下部に形成した集塵室部（第１集塵部）５５と、この集塵室部５５の上に形成した負圧室部５６と、この負圧室部５６内に設けられた塵埃分離部（第１塵埃分離部：直進慣性分離手段）６０と、この塵埃分離部６０で分離された塵埃を集塵室部５５へ案内する案内部として機能する案内管７０とを有している。集塵室部５５は、負圧室部５６と区画されており、吸気口５２から電動送風機に至る風路とずれた位置に配置されている。集塵室部５５の底部には、底板５７が軸Ｊ回りに開閉可能に取り付けられており、この底板５７を開けることにより集塵室部５５内に蓄積される塵埃が捨てられるようになっている。集塵室部５５と負圧室部５６とを区画する集塵室部５５の天板５８には開口５９が形成され、この開口５９には図９に示すようにネットフィルタＦ１が取り付けられている。天板５８の開口５９の後には接続穴５８Ａが形成されている。この接続穴５８Ａの下方には集塵室部５５内で旋回流を発生させるためのガイド壁５５Ｇが設けられている。
【００１７】
また、集塵室部５５の後壁部５５Ａは容器ケース体５３の開口５１より内側に引き込んでおり、その開口５１内にフィルタ体（第２塵埃分離手段：フィルタ）８０（図１０参照）が着脱自在に装着されるようになっている。
【００１８】
後壁部５５Ａの下部５５Ａｂと、容器ケース体５３の開口５１の下部を形成している容器後部壁７１との間にはフィルタ体８０を受ける複数のリブ７３が形成されている。また、後壁部５５Ａの下部５５Ａｂと容器後部壁７１とリブ７３で囲まれる空間が微細な塵埃を集塵する集塵部（副集塵部：第２集塵部）７２となっている。この集塵部７２の底部は開口され、この開口は集塵室部５５の底板５７に設けた閉塞板７４によって閉塞されている。集塵部７２に溜まった塵埃は、底板５７を開けることにより集塵室部５５の塵埃とともに捨てることができるようになっている。
【００１９】
集塵室部５５の後壁部５５Ａの上部側は傾斜しており、フィルタ体８０から落とされた微細な塵埃を集塵部７２へ案内するようになっている。
【００２０】
塵埃分離部６０は、筒状の風路６１を形成した管部６２を有している。この管部６２の一端開口（入口開口）６２Ａの大きさは容器ケース体５３の吸気口５２の大きさより大きく形成されている。管部６２の一端開口６２Ａは他端開口６２Ｂより大きく形成され、例えば管部６２の径は一端から他端にいくにしたがって直線的に漸減するよう形成している。管部６２の他端開口６２Ｂは案内管７０の一端に接続されている。案内管７０は上下に延びており、案内管７０の一端の他端（下端）は天板５８の接続穴５８Ａに接続されている。
【００２１】
また、管部６２の風路６１は前後方向に直線状に延びており、吸気口５２は管部６２に対して電動部の開口とは反対側に位置しており、さらに蓋体４０の接続パイプ４４と、ケース体５３の開口５１と、電動送風機３３の吸気開口３３Ａとが一直線上に配置されている。
【００２２】
管部６２の周壁には複数の開口６４が全周に亘って一様に設けられており、この開口６４には図５に示すようにネットフィルタＦ２が取り付けられている。なお、管部６２全体を筒状ネットフィルタで構成することもできる。ここでは、管部６２は円形の枠体Ｗ１，Ｗ２と枠体Ｗ１，Ｗ２を連結した複数の枠体Ｗ３とで構成され、開口６４は各枠体Ｗ１〜Ｗ３によって囲まれた空間となっている。また、風路６１は枠体Ｗ３およびネットフィルタＦ２によって囲まれて形成されている。
【００２３】
そして、管部６２の風路６１は、管部６２の開口６４とケース体５３の負圧室部５６と本体ケース３０の電動室３４の開口を介して電動送風機３３の吸気開口３３Ａに連通している。
【００２４】
フィルタ体８０は、図１０に示すように、樹脂製の枠体８１と、この枠体８１に取り付けられたプリーツフィルタ部８２とを有している。プリーツフィルタ部８２は縦方向に延びたプリーツを形成し、プリーツとプリーツとの間が表裏両面に上下方向に延びた溝となっている。また、枠体８１の下部８１ａには傾斜面８５が形成されている。
【００２５】
コードリール１２５は、図１１ないし図１３に示すように、支持軸１２２に回動自在に設けた巻取ドラム１２６と、ブレーキ装置１３１等とを有している。この巻取ドラム１２６は図示しないゼンマイの付勢力によって回転していくようになっており、この巻取ドラム１２６が回転することによって電源コードＫＤ（図３参照）を巻き取っていく。なお、支持軸１２２は本体ケース３０の底部に立設されている。
【００２６】
巻取ドラム１２６は、上フランジ１２７と下フランジ１２８とを有しており、上フランジ１２７の上面には周方向に多数の歯を環状に配列した大径の駆動ギヤ１２９が設けられている。
【００２７】
支持軸１２２に取り付けられる取付板１２３にブレーキ装置１３１が取り付けられている。
【００２８】
ブレーキ装置１３１は、取付板１２３の支持軸１２３ａに水平回動可能に保持されたブレーキアーム１３２と、このブレーキアーム１３２の自由端部に取り付けられたブレーキローラ（図示せず）と、ブレーキアーム１３２を回動付勢してブレーキローラを上フランジ１２７の周面に圧接させるスプリング（図示せず）を有する。
【００２９】
このブレーキ装置１３１では、通常、ブレーキアーム１３２を回動付勢しているスプリングのバネ力と巻取ドラム１２６を回転付勢しているゼンマイのバネ力とにより、ブレーキローラがブレーキアーム１３２と上フランジ１２７との間に楔状に食い込むことで、巻取ドラム１２６の回転がロックされるようになっている。そして、このブレーキ装置１３１では、電源コードＫＤを引いて、巻取ドラム１２６をそのゼンマイの付勢力に抗して回転させることにより、ブレーキローラが巻取ドラム１２６の回転方向に僅かに移動させられて、ブレーキローラがブレーキアーム１３２と上フランジ１２７との間に楔状に食い込んだ状態が解除されることにより、ブレーキローラの上フランジ１２７への圧接状態が解除される様になっている。尚、電源コードＫＤから引き出し力を解除すると、巻取ドラム１２６がゼンマイにより電源コードＫＤを巻き取る方向に僅かに回転して、ブレーキローラがブレーキアーム１３２と上フランジ１２７との間に楔状に食い込んでロックし、巻取ドラム１２６の回転を停止させ、電源コードＫＤを引き出した状態にするようになっている。
【００３０】
また、ブレーキ装置１３１のブレーキの解除は、図１および図２に示す位置からハンドル１３３を下方に押すことにより行われるようになっている。ハンドル１３３は、把手部１３４と、この把手部１３４の両端部に下方に向けて一体に連設された脚部１３５，１３５とから逆Ｕ字状に形成されている。
【００３１】
一方の脚部１３５の下端部には、先細りするプレート１３０が設けられており、このプレート１３０の傾斜カム面１３５ａがブレーキアーム１３２のリブ１２１に上方から係合している。そして、ハンドル１３３を下方に押し下げる押し下げ操作により、ブレーキアーム１３２を軸１２３ａを中心にして反時計回りに回動させ、この回動によりブレーキローラが上フランジ１２７の周面から離間してブレーキ装置１３１のブレーキが解除するようになっている。
【００３２】
他方、電動室３４の格子板１１６には、フィルタ体８０に付着した塵埃を落とすための除塵手段としての振動付与手段１４９が配設されている（図１１および図１３参照）。
【００３３】
この振動付与手段１４９は、格子板１１６とフィルタ体８０との間に配設した大径のギヤ１５０を有する。このギヤ１５０は、格子板１１６に支持軸１５１ａで回転自在に支持されたボス１５１と、ボス１５１と一体に且つ放射状に設けられた複数のアーム１５２と、複数のアーム１５２と一体に設けられた環状ギヤ部１５３と、ボス１５１と環状ギヤ部１５３との間の中間に位置してアーム１５２と一体に設けられた環状支持部１５４と、アーム１５２と環状支持部１５４の交差部に突設された弾性の突起１５７を有する。この突起１５７はプリーツフィルタ部８２のプリーツとプリーツとの間に浅く係合している。
【００３４】
ギヤ１５０は、図１４に示したように回転力伝達手段１５８でコードリール１２５に連動している。この回転力伝達手段１５８は、格子板１１６の筒部１１３ａ及び軸挿通孔１１３ｂを貫通して一端部が前記集塵室側の風路に突出し且つ他端部が電動室３４に突出する回転軸１５９と、回転軸１５９の一端部に固定され且つギヤ１５０の環状ギヤ部１５３に噛合するピニオン（連動手段である小径のギヤ）１６０と、回転軸１５９の他端部に回転可能に保持され且つ軸線方向に移動不能保持された駆動回転体としてのピニオン（小径のギヤ）１６１を有する。このピニオン１６１は、コードリール１２５の駆動ギヤ１２９に噛合して、コードリール１２５に連動するようになっている。図１４および図１５において、１５９ａは、回転軸１５９の周面に形成された軸線と平行な方向に延びるガイド凸部である。尚、ピニオン１６０は、軸挿通孔１１３ｂに嵌合するボス１６０ａを有する。
【００３５】
また、回転力伝達手段１５８は、ピニオン１６０と格子板１１６との間に位置させて回転軸１５９のガイド凸部１５９ａが設けられた部分に嵌合された筒状の従動回転体１６２を有する。これにより、従動回転体１６２は、軸線方向に移動可能に且つ相対回転不能に回転軸１５９に保持されている。更に、回転力伝達手段１５８は、ピニオン１６０と従動回転体１６２の対向部に設けられたワンウエイクラッチ１６３を有する。このワンウエイクラッチ１６３は、ピニオン１６１に設けられたラチェット爪１６４と、従動回転体１６２に設けられ且つラチェット爪１６４に係合するラチェット爪１６５と、ラチェット爪１６５をラチェット爪１６４に押し付けているコイルスプリング１６６を備えている。
【００３６】
しかも、このワンウエイクラッチ１６３は、電源コード１３０を引き出す方向にコードリール１２５を回転させるとき、コイルスプリング１６６のバネ力に抗して従動回転体１６２がピニオン１６０から離反する方向に回転軸１５９上を移動させられて、ラチェット爪１６４がラチェット爪１６５を乗り越えることにより、ラチェット爪１６４，１６５同士が相対回転するようになっている。また、ワンウエイクラッチ１６３は、コードリール１２５が電源コードＫＤを巻き取る方向に回転する際、ラチェット爪１６４，１６５同士が互いに係止されてピニオン１６０と従動回転体１６２が一体に回転する様になっている。
【００３７】
更に、回転力伝達手段１５８は、回転軸１５９の外周に嵌合され且つ格子板１１６に当接させられて軸挿通孔１１３ｂと回転軸１５９との間をシールしている環状シール部材１６７を有する。この環状シール部材１６７と従動回転体１６２との間には上述したコイルスプリング１６６が介装されていて、このコイルスプリング１６６は環状シール部材１６７を格子板１１６に押し付けていると共に、従動回転体１６２のラチェット爪１６５をピニオン１６０のラチェット爪１６５に押し付けている。この際、環状シール部材１６７は、軸挿通孔１１３ｂとピニオン１６０のボス部１６０ａとの間に跨って押し付けられることにより、回転軸１５９と軸挿通孔１１３ａとの間を間接的にシールしている。
【００３８】
なお、図１２において、１１５は格子板１１６に設けた筒部１１５であり、この筒部１１５には図示しない環状の弾性部材を介して電動送風機３３の吸気開口３３Ａが取り付けられている。
［動  作］
次に、上記のように構成される電気掃除機の動作について説明する。
【００３９】
先ず、図４に示すように、集塵容器５０を本体ケース３０の載置部３５に載置して蓋体４０を閉じ、図１に示すようにホース２１を蓋体４０の接続口４３に接続する。そして、操作部２２Ａの図示しないスイッチを操作すると電動送風機３３が駆動される。この電動送風機３３の駆動により、本体ケース３０の開口の格子板１１６を介して容器ケース体５３の負圧室部５６が負圧となる。この負圧が管部６２の開口６４，管部６２の風路６１，容器ケース体５３の吸気口５２，蓋体４０の接続パイプ４４，ホース２１，延長管２３および吸込口体２４に作用し、吸込口体２４から空気とともに塵埃が吸引されていく。
【００４０】
この吸引された塵埃および空気が延長管２３およびホース２１を介して蓋体４０の接続口４３へ吸引されていく。この接続口４３へ吸引された塵埃および空気は、集塵容器５０の吸気口５２を通って塵埃分離部６０の管部６２の風路６１に吸引されていく。
【００４１】
風路６１に吸引された空気は管部６２の開口６４のネットフィルタＦ２を介して容器ケース体５３の負圧室部５６に吸引され、さらに容器ケース体５３の開口５１に装着したフィルタ体８０および本体ケース３０の開口の格子板１１６を介して電動送風機３３の吸気開口３３Ａに吸引されていく。
【００４２】
一方、管部６２の風路６１に吸引された所定以上の質量のある大きな塵埃は、その風路６１が前後方向に直線状に延びていることにより、その慣性により風路６１を直進して案内管７０により集塵室部５５内へ導入されていく。すなわち、塵埃分離部６０により空気と塵埃が分離されることになる。
【００４３】
また、空気の一部は案内管７０を介して集塵室部５５内へ導入され、この導入された空気は集塵室部５５のガイド壁５５Ｇによって旋回流となり、集塵室部５５内へ導入さた塵埃はその旋回流により圧縮されながら蓄積されていく。
【００４４】
集塵室部５５内に導入された空気は、旋回流となった後集塵室部５５の天板５８のネットフィルタＦ１を介して容器ケース体５３の負圧室部５６に吸引されていく。
【００４５】
重さの軽い小さな塵埃は、管部６２の風路６１を直進することなく開口６４のネットフィルタＦ２を通る空気に乗って流れていくので、ネットフィルタＦ２に付着していく。そして、この塵埃の付着によりネットフィルタＦ２の目詰まりが大きくなると、そのネットフィルタＦ２を通る風量が減少していくが、その減少した分だけ容器ケース体５３の負圧室部５６の負圧が大きくなり、天板５８の開口５９を介して集塵室部５５内の負圧も大きくなる。このため、管部６２の風路６１を直進する空気の風速が大きくなり、その直進する風量も増加することになる。
【００４６】
管部６２の風路６１を直進する風速が大きくなると、その直進する空気がネットフィルタＦ２に付着した塵埃を剥がしていく。この際、管部６２の径が開口６２Ｂに行くにしたがって直線的に漸減していることにより、ネットフィルタＦ２の全面に風路６１を直進する風が一様に当たりやすくなり、このためネットフィルタＦ２に付着した塵埃は剥がれ易いものとなる。
【００４７】
剥がれた塵埃は案内管７０を介して集塵室部５５内へ導入されて蓄積されていく。
【００４８】
また、目詰まりによりネットフィルタＦ２を通る風量が減少しても、管部６２の風路６１を直進する風量が増加するので、電動送風機３３が吸引する風量は一定に保たれる。このため、ネットフィルタＦ２の目詰まりに拘わりなく、常に所定の吸引力で塵埃を吸引することができることになる。
【００４９】
また、管部６２の風路６１内で旋回流を生じさせて塵埃と空気とを分離させていないことにより、その風路６１内での風路損は小さなものとなる。しかも、管部６２の風路６１からネットフィルタＦ２を通って容器ケース体５３の負圧室部５６に吸引されていく際、吸気口５２と管部６２と容器ケース体５３の開口５１と電動送風機３３の吸込開口３３Ａとが一直線上に配置されていることにより、その空気の流れの向きは矢印Ｑ（図３参照）で示すように大きく変わることがなく、ほぼ直線的に流れて電動送風機３３に吸引されていく。
【００５０】
このため、その風路損はさらに小さなものとなり、電動送風機３３の機能を十分に発揮することができることになる。さらに、蓋体４０の接続パイプ４４と管部６２とが一直線上に並んでいることにより、容器ケース体５３の吸気口５２に向けて導入される空気の方向が管部６２の延びる方向と一直線状になるので、その風路損はより一層小さなものとなる。
【００５１】
ところで、管部６２の風路６１に吸引された塵埃のうち、所定以上の質量のある大きな塵埃はそのまま直進して案内管７０を介して集塵室部５５へ集塵されていくので、微細な塵埃のみが矢印Ｑで示すように管部６２のフィルタＦ２を通過し、容器ケース体５３の負圧室部５６を通って塵埃分離部６０の後方にあるフィルタ体８０に達する。ここで、微細な塵埃はフィルタ体８０のプリーツフィルタ部８２に捕捉されていく。
【００５２】
塵埃分離部６０のフィルタＦ２を通過する塵埃は微細な塵埃なので、フィルタ体８０のプリーツフィルタ部８２に捕捉される塵埃は微細な塵埃だけとなる。
【００５３】
掃除機本体２０から引き出された電源コードＫＤを巻き取るには、先ずハンドル１３３の把手部１３４を図１および図２に示す位置から下方に押してハンドル１３３を下方に押し下げる。
【００５４】
ハンドル１３３が押し下げられると、コードリール１２５のブレーキ装置１３１のブレーキの解除が行われ、コードリール１２５の巻取ドラム１２６がゼンマイの付勢力によって回転して電源コードＫＤを巻き取っていく。
【００５５】
一方、巻取ドラム１２６の回転により、回転力伝達手段１５８を介してギヤ１５０が回転していく。このギア１５０の回転により、ギア１５０の突起１５７がフィルタ体８０のプリーツフィルタ部８２のプリーツを乗り越えながらプリーツフィルタ部８２の後面上を回転移動していく。そして、突起１５７がプリーツフィルタ部８２のプリーツを乗り越えたときに次のプリーツに衝突してプリーツフィルタ部８２に振動を与え、この振動によりプリーツフィルタ部８２に捕捉された微細な塵埃がそのプリーツフィルタ部８２から落下していく。プリーツフィルタ部８２のプリーツは縦方向（上下方向）に延びているので、プリーツフィルタ部８２に付着した塵埃は振動により効率よく落とされていくことになる。
【００５６】
プリーツフィルタ部８２に捕捉された塵埃は微細な塵埃だけので、その振動によってプリーツフィルタ部８２から塵埃を簡単に落とせることになる。しかも、電源コードＫＤを巻き取ったときにプリーツフィルタ部８２に振動を与えるので、プリーツフィルタ部８２に付着した塵埃は掃除の終了後に常に落とされることになり、プリーツフィルタ部８２を掃除する必要もない。すなわち、プリーツフィルタ部８２の目詰まり、換言すればフィルタ体８０の目詰まりは防止される。
【００５７】
プリーツフィルタ部８２から落下した塵埃は、集塵室部５５の傾斜した後壁部５５Ａや枠体８１の傾斜面８５等に案内されて容器ケース体５３の集塵部７２へ集塵されていく。
【００５８】
一方、プリーツフィルタ部８２に捕捉された微細な塵埃の一部は振動によりプリーツフィルタ部８２の目をくぐって電動送風機３３側へ進んでしまい、次に電動送風機を駆動した際に電動送風機３３の吸気開口３３Ａへ吸引されてしまうが、電動送風機３３の電動モータがブラシレスモータであり、互いに摺動するカーボンブラシと整流子とを有していないことにより、その吸引した微細な塵埃が両者の摺動面に入り込むことによって生ずる悪影響を受けてしまうことはない。
【００５９】
ところで、大きな塵埃は塵埃分離部６０によって集塵室部５５へ集塵されていくので、大きな塵埃がプリーツフィルタ部８２に付着してしまうことがない。また、塵埃分離部６０から離れた後方位置にフィルタ体８０があるので、塵埃分離部６０の管部６２の開口６４にネットフィルタＦ２を設けなくとも、大きな塵埃がプリーツフィルタ部８２に付着してしまうことがない。
［第２実施形態］
図１７は第２実施形態の掃除機本体２００を示したものであり、第１実施形態と異なる点について説明する。この掃除機本体２００は、電動室２３４の下に形成したバッテリー室２０１と制御室２０２とを有している。バッテリー室２０１にはバッテリー２０３が収納されており、このバッテリー２０３によって電動送風機２３３が駆動されるようになっている。制御室２０２には、電動送風機２３３を制御する制御回路を設けた回路基板２０４が取り付けられている。
【００６０】
電動送風機２３３は、図示しないブラシレスモータと、このブラシレスモータによって回転される図示しない遠心ファンなどとから構成されている。
【００６１】
また、この第２実施形態は、格子板１１６に回動自在に装着したギヤ１５０をモータ２１０で回動させるようにしたものであり、図１８に示すように、ギヤ１５０に噛合したギア２６０をモータ２１０の駆動軸２１０Ａに装着したものである。
【００６２】
モータ２１０の駆動スイッチ（図示せず）は掃除機本体２００の上面に設けられており、この駆動スイッチが押されている間だけモータ２１０がバッテリー２０３によって駆動されるようになっている。そして、モータ２１０が駆動されるとギア２６０を介してギア１５０が回動していき、第１実施形態と同様にしてギア１５０の突起１５７がフィルタ体８０のプリーツフィルタ部８２に振動を与えて塵埃を掻き落としていく。これにより、プリーツフィルタ部８２の目詰まり、すなわちフィルタ体８０の目詰まりが防止される。
【００６３】
また、プリーツフィルタ部８２に捕捉された微細な塵埃の一部は振動によりプリーツフィルタ部８２の目をくぐって電動送風機２３３側へ進んで、最終的に電動送風機２３３の吸気開口２３３Ａへ吸引されてしまうが、電動送風機２３３の電動モータがブラシレスモータであるので、第１実施形態と同様に電動送風機２３３はその吸引した微細な塵埃によって悪影響を受けてしまうことはない。
【００６４】
第２実施形態の電気掃除機によれば、第１分離手段は上述したように風路損が極めて少ないものであり、しかも第２分離手段であるフィルタに除塵手段を設けて目詰まりを解除でき、さらに電動送風機にブラシレスモータを採用していることから、消費電力を抑制でき、結果として小型のバッテリーを採用することが可能となる。この第２実施形態では、駆動スイッチが押されている間だけモータ２１０を駆動するようにしているが、電動送風機２３３の駆動が停止された後、数秒間だけ自動的にモータ２１０を駆動するようにしてもよい。また、駆動スイッチは手元操作部２２Ａに設けてもよい。
【００６５】
また、上記各実施例では、第１の塵埃分離部および集塵部を掃除機本体に設けているが、これらを掃除機本体以外、例えばホースの手元部に設けることも可能である。この場合、集塵容器５０の吸気口５２はホースの手元部に設けた接続口に接続（連通）し、集塵容器５０の開口５１を小さく形成するとともに、この小さく形成した開口５１をホースの手元部に設けた他の接続口に接続する。そして、ホースの手元部の接続口は吸込口体２４に連通し、ホースの手元部の他の接続口は電動送風機の吸気開口に連通する。
【００６６】
第１，第２実施形態の集塵容器５０は、掃除機本体２０，２００から取り外せるようになっているが、集塵容器５０を掃除機本体２０，２００に一体に設け、掃除機本体２０，２００の底部に開閉蓋を設け、この開閉蓋を開けることによって集塵容器５０内の塵埃を捨てるようにしてもよい。
【００６７】
【発明の効果】
以上説明したように、この発明によれば、第２塵埃分離手段の目詰まりの防止を図ることができるとともに、吸引した塵埃によって電動送風機が悪影響を受けてしまうことがない。
【図面の簡単な説明】
【図１】この発明に係る電機掃除機の外観を示した斜視図である。
【図２】図１に示す電気掃除機の掃除機本体を示した斜視図である。
【図３】図２に示す掃除機本体の一部を断面にした側面図である。
【図４】蓋体を開けた状態を示した掃除機本体の側面図である。
【図５】集塵容器の構成を示した縦断面図である。
【図６】集塵容器を示した斜視図である。
【図７】集塵容器の平断面図である。
【図８】集塵容器の後部の一部を拡大した部分拡大斜視図である。
【図９】集塵容器の底面の上から見上げた野視図である。
【図１０】（Ａ）フィルタ体を示した斜視図である。
（Ｂ）フィルタ体の枠の一部を示した説明図である。
（Ｃ）プリーツフィルタ部の一部を示した説明図である。
【図１１】振動付与手段とコードリールの関係を示す斜視図である。
【図１２】図１１の振動付与手段とコードリールの関係を後側から見た斜視図である。
【図１３】図１０の振動付与手段とコードリール等の分解斜視図である。
【図１４】回転力伝達手段の構成を示した拡大説明図である。
【図１５】図１４のＡ１−Ａ１線に沿う断面図である。
【図１６】図１４のＡ２−Ａ２線に沿う断面図である。
【図１７】第２実施形態の掃除機本体の構成を示した断面図である。
【図１８】ギアがモータで回動される構成を示した説明図である。
【符号の説明】
３３            電動送風機
５５            集塵部
６０            塵埃分離部（第１塵埃分離手段）
７２            集塵部（副集塵部）
８０            フィルタ体（第２塵埃分離手段）
１４９            振動付与手段（除塵手段）
【図１】
2004358135.tif 000003
【図２】
2004358135.tif 000004
【図３】
2004358135.tif 000005
【図４】
2004358135.tif 000006
【図５】
2004358135.tif 000007
【図６】
2004358135.tif 000008
【図７】
2004358135.tif 000009
【図８】
2004358135.tif 000010
【図９】
2004358135.tif 000011
【図１０】
2004358135.tif 000012
【図１１】
2004358135.tif 000013
【図１２】
2004358135.tif 000014
【図１３】
2004358135.tif 000015
【図１４】
2004358135.tif 000016
【図１５】
2004358135.tif 000017
【図１６】
2004358135.tif 000018
【図１７】
2004358135.tif 000019
【図１８】
2004358135.tif 000020